(57)【要約】【課題】指示/表示装置を用いることなく簡便な手段で、ピンを嵌着する際のピン番号の認知にかかる時間を短縮できるとともにピン番号の誤認を抑止できるコネクタ装置を提供する。【解決手段】雄型コネクタ11は、コネクタ本体14の全面にわたって設けた複数のピン嵌着孔15のうちのピン番号をカウントする際のカウント始点となるピン嵌着孔15aに対して矢印形の始点目印31を設ける。この始点目印31の付されたピン嵌着孔15aからピン番号を順次カウントする際に一定個数（例えば５ピン）ごとに位置してカウント基準となる複数のピン嵌着孔15bにそれぞれ基準目印32を設ける。これらの基準目印32は、一定個数ごとに位置するピン嵌着孔15bに施した異形断面（＋形）の孔形である。【選択図】図１
2011216412.tif 000002
【特許請求の範囲】
【請求項１】
コネクタ本体と、
このコネクタ本体に設けられた複数のピン嵌着孔と、
これらのピン嵌着孔のうちのピン番号をカウントする際のカウント始点となるピン嵌着孔に対して設けられた始点目印と、
この始点目印のピン嵌着孔からピン番号を順次カウントする際に一定個数ごとに位置してカウント基準となる複数のピン嵌着孔にそれぞれ設けられた複数の基準目印と、
これらの始点目印および基準目印により間接的に番号付けされたピン番号に対応させて複数のピン嵌着孔に嵌着された複数のピンと
を具備したことを特徴とするコネクタ装置。
【請求項２】
複数の基準目印は、一定個数ごとに位置するピン嵌着孔に施された異形断面の孔形である
ことを特徴とする請求項１記載のコネクタ装置。
【請求項３】
複数の基準目印は、一定個数ごとに位置するピン嵌着孔に色分けされた色である
ことを特徴とする請求項１記載のコネクタ装置。
【発明の詳細な説明】
【技術分野】
【０００１】
本発明は、ピン嵌着孔にピン番号を間接的に表示するコネクタ装置に関する。
【背景技術】
【０００２】
例えば、油圧ショベルなどの作業機械においては、その作業機械に搭載されるエンジンの制御装置であるエンジン・コントロール・モジュール（ＥＣＭ）へのハーネス取付の際に、図３に示されるような雄型コネクタ１を用いる。
【０００３】
この種の雄型コネクタ１は、ＥＣＭに取付けられるコネクタ本体２に多数のピン嵌着孔３が設けられ、これらのピン嵌着孔３には部分的にピン番号が付されており、これらのピン嵌着孔３に対応するピン番号のピン４を嵌着しているが、多数のピン嵌着孔３が密集しているため、コネクタ本体２に付されるピン番号は限られる。例えば、コネクタ本体２の外周縁部のみ、またはコネクタ本体２の外周部および中央部などに、ピン番号を付する場所が限られる。
【０００４】
一方、コネクタ本体が被嵌されるガイド体内に、コネクタ本体に設けられた多数のピン嵌着孔と対応させて発光素子がそれぞれ配置され、数字入力装置により入力されたピン番号に対応する発光素子を発光させることで、入力されたピン番号に対応するピン嵌着孔を光らせ、その光っているピン嵌着孔に入力されたピン番号のピンを嵌着するようにした指示/表示装置がある（例えば、特許文献１、２参照）。
【先行技術文献】
【特許文献】
【０００５】
【特許文献１】特開昭５８−５４５７４号公報（第３頁、第２図）
【特許文献２】実開昭５９−５２６９９号公報（第１頁、第２図）
【発明の概要】
【発明が解決しようとする課題】
【０００６】
前記のようにピン番号がコネクタの一部（外周部および中央部）にしかないものは、その他のピン番号が付されていないピン嵌着孔にピンを嵌着する際に、ピン番号の視認性が低いためピン番号の誤認を引起こすおそれが高く、その誤認をなくすにはピン番号の確認に時間がかかるので、作業効率が悪くなる。
【０００７】
一方、前記指示/表示装置は、上記のようなピン番号の確認に時間がかかったり作業効率が悪くなる欠点はないものの、高価であるとともに、コネクタごとに対応する配置の発光素子を有するガイド体が必要であり、汎用性に欠ける。
【０００８】
本発明は、このような点に鑑みなされたもので、指示/表示装置を用いることなく簡便な手段で、ピンを嵌着する際のピン番号の認知にかかる時間を短縮できるとともにピン番号の誤認を抑止できるコネクタ装置を提供することを目的とする。
【課題を解決するための手段】
【０００９】
請求項１に記載された発明は、コネクタ本体と、このコネクタ本体に設けられた複数のピン嵌着孔と、これらのピン嵌着孔のうちのピン番号をカウントする際のカウント始点となるピン嵌着孔に対して設けられた始点目印と、この始点目印のピン嵌着孔からピン番号を順次カウントする際に一定個数ごとに位置してカウント基準となる複数のピン嵌着孔にそれぞれ設けられた複数の基準目印と、これらの始点目印および基準目印により間接的に番号付けされたピン番号に対応させて複数のピン嵌着孔に嵌着された複数のピンとを具備したコネクタ装置である。
【００１０】
請求項２に記載された発明は、請求項１記載のコネクタ装置における複数の基準目印を、一定個数ごとに位置するピン嵌着孔に施された異形断面の孔形としたものである。
【００１１】
請求項３に記載された発明は、請求項１記載のコネクタ装置における複数の基準目印を、一定個数ごとに位置するピン嵌着孔に色分けされた色としたものである。
【発明の効果】
【００１２】
請求項１記載の発明によれば、複数のピン嵌着孔のうちのピン番号をカウントする際のカウント始点となるピン嵌着孔に対して始点目印を設け、この始点目印のピン嵌着孔からピン番号を順次カウントする際に一定個数ごとに位置してカウント基準となる複数のピン嵌着孔に基準目印をそれぞれ設け、これらの始点目印および基準目印により間接的に番号付けされたピン番号に対応させて複数のピン嵌着孔に複数のピンを嵌着するので、指示/表示装置を用いることなく簡便な手段で、ピンを嵌着する際のピン番号の認知にかかる時間を短縮できるとともにピン番号の誤認を抑止できる。
【００１３】
請求項２記載の発明によれば、基準目印は、一定個数ごとに位置するピン嵌着孔に施された異形断面の孔形であるから、成型加工での大量生産に適するとともに、異形断面の孔形は目立ち易く、ピン番号の認知時間の短縮およびピン番号の誤認抑止の効果を高めることができる。
【００１４】
請求項３記載の発明によれば、基準目印は、一定個数ごとに位置するピン嵌着孔に色分けされた色であるから、色による識別は瞬時の判断に適し、ピン番号の認知時間の短縮およびピン番号の誤認抑止の効果を高めることができる。
【図面の簡単な説明】
【００１５】
【図１】本発明に係るコネクタ装置の一実施の形態を示す斜視図である。
【図２】同上コネクタ装置の雄型コネクタのコネクタ本体を示す平面図である。
【図３】従来の雄型コネクタを示す斜視図である。
【発明を実施するための形態】
【００１６】
以下、本発明を、図１および図２に示された一実施の形態に基いて詳細に説明する。
【００１７】
図１に示されるように、コネクタ装置は、雄型コネクタ11と雌型コネクタ12とで構成され、雄型コネクタ11は、エンジン・コントロール・モジュール（ＥＣＭ）13などに固定される樹脂製のコネクタ本体14と、このコネクタ本体14に設けられた複数のピン嵌着孔15と、これらのピン嵌着孔15に嵌着された複数のピン16とを備え、これらのピン16の下端がＥＣＭ13などの回路に結線される。
【００１８】
一方、雌型コネクタ12は、樹脂製のコネクタ本体21と、このコネクタ本体21に設けられ雄型コネクタ11の各ピン16と嵌合して電気的に結合される複数のピン挿入穴22とを備え、これらの各ピン挿入穴22内に嵌着された導電性金属片にハーネス23が接続されている。
【００１９】
雄型コネクタ11には、コネクタ本体14のほぼ中央部に角形の案内凸部25が一体に設けられ、この案内凸部25に固定ねじ穴26が設けられ、一方、雌型コネクタ12には、雄型コネクタ11の案内凸部25と嵌合する角形の案内凹部27がコネクタ本体14のほぼ中央部に形成され、この案内凹部27の中央には、雄型コネクタ11の固定ねじ穴26に螺合される固定ねじ28が配置され、そして、雄型コネクタ11と雌型コネクタ12とがピン結合された状態で、この固定ねじ28をコネクタ本体21の反対側から回動操作して、固定ねじ穴26に螺入することで、雄型コネクタ11と雌型コネクタ12のピン結合状態を固定する。
【００２０】
図１および図２に示されるように、雄型コネクタ11は、コネクタ本体14の全面にわたって設けられた複数のピン嵌着孔15のうちのピン番号をカウントする際のカウント始点となるピン嵌着孔15aに対して、始点目印31として指示マーク様のガイド矢印が設けられ、さらに、この始点目印31の付されたピン嵌着孔15aからピン番号を順次カウントする際に一定個数（例えば５ピン）ごとに位置してカウント基準となる複数のピン嵌着孔15bにそれぞれ基準目印32が設けられている。
【００２１】
これらの基準目印32は、一定個数ごとに位置するピン嵌着孔15bに施された異形断面の孔形であり、例えば図１および図２に示されるようにピン嵌着孔15bそのものの孔断面を＋形に成型する。この＋形のピン嵌着孔15bは、他の丸型のピン嵌着孔15に対して目立ち易く、またピン嵌着時の変形も容易であり、ピン嵌着作業を容易にできる効果がある。
【００２２】
そして、これらの始点目印31および基準目印32により間接的に番号付けされたピン番号に対応させて複数のピン嵌着孔15（15a，15bを含む）に複数のピン16を嵌着する。
【００２３】
このように、複数のピン嵌着孔15のうちのピン番号をカウントする際のカウント始点となる１番ピン16a用のピン嵌着孔15aに対して指示マーク様のガイド矢印を始点目印31として設け、この始点目印31のピン嵌着孔15aからピン番号を順次カウントする際に一定個数ごとに位置してカウント基準となる複数のピン嵌着孔15bにそれぞれ基準目印32を設け、これらの始点目印31および基準目印32により間接的に番号付けされたピン番号に対応させて複数のピン嵌着孔15（15a，15bを含む）に複数のピン16を嵌着するので、従来の指示/表示装置を用いることなく簡便な手段で、ピン16を嵌着する際のピン番号の認知にかかる時間を短縮できるとともにピン番号の誤認を抑止できる。
【００２４】
特に、各基準目印32は、一定個数ごとに位置するピン嵌着孔15bに施された異形断面の孔形であるから、成型加工での大量生産に適するとともに、異形断面の孔形は目立ち易く、ピン番号の認知時間の短縮およびピン番号の誤認抑止の効果を高めることができる。
【００２５】
次に、図示されない他の実施の形態を説明する。
【００２６】
上記実施の形態では、各基準目印32は、一定個数ごとに位置するピン嵌着孔15bに施された異形断面の孔形であるが、この基準目印としては、一定個数ごとに位置するピン嵌着孔15bに色分けされた色でもよい。例えば、コネクタ本体14の色と対照的に目立ちやすい色を、ピン嵌着孔15bの内部または開口縁に用いるとよい。
【００２７】
このように、基準目印としてピン嵌着孔15bに色分けされた色を用いると、色による識別は瞬時の判断に適し、ピン番号の認知時間の短縮およびピン番号の誤認抑止の効果を高めることができる。
【００２８】
以上のように、一定のピン番号ごとに、ピン嵌着孔15の孔形状を変えたり、他の色を付けるカラーリングなどで基準ピン位置を明示するとともに、起点がどこか明確になるように、１番ピン16a用のピン嵌着孔15aの周辺にも始点目印31を設けることで、始点位置および基準ピン位置を明示することにより、ピン番号の認知にかかる時間の短縮を図れ、作業効率を向上できるとともに、ピン番号の誤認を抑止できる。
【００２９】
なお、図示された例では、５ピン刻みでピン嵌着孔15bの孔形状を変更するとともに、１番ピン16a用のピン嵌着孔15aに対しガイド矢印を始点目印31として表示する手段を採用しているが、これらの具体例に限定されるものではなく、例えば１０ピン刻みでピン嵌着孔の孔形状を変更したり、１番ピン16a用のピン嵌着孔15aに特別な色を始点目印として付するようにしてもよい。
【産業上の利用可能性】
【００３０】
本発明は、上記コネクタ装置の製造販売、上記コネクタ装置により制御装置と機械各部とを接続した作業機械などを製造販売する産業において利用可能である。
【符号の説明】
【００３１】
14    コネクタ本体
15    ピン嵌着孔
15a   カウント始点となるピン嵌着孔
15b   カウント基準となるピン嵌着孔
16    ピン
31    始点目印
32    基準目印
【図１】
2011216412.tif 000003
【図２】
2011216412.tif 000004
【図３】
2011216412.tif 000005